(57)【特許請求の範囲】
【請求項１】
カップ本体とこれに螺合する蓋体と当該蓋体を貫通して取り付けられるストローとを有してなり、蓋体には中央の円筒部分を通してストローを取り付けるための取付け部が設けられているとともに、その取付け部の周縁部分に嵌合してストローの突き出た先端を密閉状態で覆うためのキャップがヒンジを介して取付け部の側部下端に一体的に取り付けられており、取付け部の円筒部分は下部が上部よりも細くなった段付き形状で、ストローは取付け部の円筒部分の下部外側に差し込み状態で固定されてカップ本体の中に垂れるストロー主部と取付け部の円筒部分の上部内側に回動可能な状態で嵌合されて斜め上方に突き出るストロー口部とで構成され、キャップはストロー口部がヒンジの方に傾いた時にキャッピング可能で且つその反対側に傾いた時はキャッピングできない形状になっており、さらに、ストロー口部の下端に通気孔が設けられるとともに取付け部の円筒部分の上部にも通気孔が設けられており、ストロー口部がキャップのヒンジの方に傾いた時にのみ、２つの通気孔が繋がってストロー口部内とカップ本体内とが連通するように構成されていることを特徴とするプラスチック製カップ容器。
【請求項２】
カップ本体とこれに螺合する蓋体と当該蓋体を貫通して取り付けられるストローとを有してなり、蓋体には中央の円筒部分を通してストローを取り付けるための取付け部が設けられているとともに、その取付け部の周縁部分に嵌合してストローの突き出た先端を密閉状態で覆うためのキャップがヒンジを介して取付け部の側部下端に一体的に取り付けられており、ストローは取付け部の円筒部分に一定ストロークで上下動可能に嵌入されたストロー口部と当該ストロー口部の下部に取り付けられてカップ本体の中に垂れるストロー主部とで構成され、ストロー口部にはストロークの下位置にてカップ本体内に連通するとともに上位置にて貫通孔の側面でカップ本体内との連通が断たれる通気孔が設けられており、キャップはストロー口部がストロークの下位置にある時にキャッピング可能で上位置にある時にキャッピングできない形状になっていることを特徴とするプラスチック製カップ容器。
【発明の詳細な説明】
【０００１】
【発明の属する技術分野】
本発明は、幼児がミルク、ジュースなどの飲み物を飲む際に使用されるプラスチック製カップ容器に関するものである。
【０００２】
【従来の技術】
従来より、育児用品の一つとして、幼児の成長に合わせて飲み方をシステムアップできる離乳用のカップ容器が一般的に使用されている。このカップ容器は、持ち手ハンドルの付いたカップ本体に蓋体により種々のパーツを取り付け可能としたプラスチック製のもので、具体的には、生後３ヶ月位から４〜５才頃までを対象に、乳首、トレーニング吸い口、ストロー、ドリンクトレーナー等を順に取り替えて使用するものである。
【０００３】
このうちのストロータイプを図１に示す。同図において１はカップ本体、２はその取付け部２ａでカップ本体１の上部に螺合する蓋体である。また、３は持ち手ハンドルであり、リング部３ａをカップ本体１の上部に嵌合した状態で蓋体２を螺合することにより固定される。そして、ストロー４は蓋体２に設けられた取付け部５を介して取り付けられており、ストロー４から中の飲み物が漏れないようにするため、蓋体２から突き出たストロー４の先端を覆うことのできるキャップ６がヒンジ７を介して取付け部５に一体的に設けられている。
【０００４】
このようなキャップ６を備えたストロータイプでは、カップ本体１に熱い飲み物を入れて蓋体２をセットした場合、カップ内の圧力が高まり、キャップ６を外した際に飲み物が熱い状態でストロー４から吹き出してやけどの原因となることがある。そこで、図１のプラスチック製カップ容器では、ストロー４の取付け部５を回動可能にするとともに当該取付け部５にカップ内と選択的に連通する通気孔を設けた構成とし、飲む時や持ち運んだりする時には取付け部５を閉位置にして通気孔を閉じるようにし、調乳をする時などお湯を使う場合には通気孔を開いた状態にするように工夫している。
【０００５】
【発明が解決しようとする課題】
上記したキャップ付きのストロータイプは、通気孔の閉位置で熱い飲み物を入れた場合に、取付け部を回動して開位置にし、通気孔を開いた状態としてからキャップを外すことで吹き出しを防止するので、ストロー取付け部を回動してからキャップを外すという２つの操作が必要であり、特に密閉構造を採っているために回動操作が固くて面倒であった。また、通気孔開閉のための構造が複雑であることから、清掃がし難く、しかも製品コストが高くなるという問題もあった。
【０００６】
本発明は、上記のような問題点に鑑みてなされたものであり、その目的とするところは、キャップを外すと同時に通気孔を開けることができるプラスチック製カップ容器を提供することにある。
【０００７】
【課題を解決するための手段】
上記目的を達成するために、本発明に係る第１のタイプのプラスチック製カップ容器は、カップ本体とこれに螺合する蓋体と当該蓋体を貫通して取り付けられるストローとを有してなり、蓋体には中央の円筒部分を通してストローを取り付けるための取付け部が設けられているとともに、その取付け部の周縁部分に嵌合してストローの突き出た先端を密閉状態で覆うためのキャップがヒンジを介して取付け部の側部下端に一体的に取り付けられており、取付け部の円筒部分は下部が上部よりも細くなった段付き形状で、ストローは取付け部の円筒部分の下部外側に差し込み状態で固定されてカップ本体の中に垂れるストロー主部と取付け部の円筒部分の上部内側に回動可能な状態で嵌合されて斜め上方に突き出るストロー口部とで構成され、キャップはストロー口部がヒンジの方に傾いた時にキャッピング可能で且つその反対側に傾いた時はキャッピングできない形状になっており、さらに、ストロー口部の下端に通気孔が設けられるとともに取付け部の円筒部分の上部にも通気孔が設けられており、ストロー口部がキャップのヒンジの方に傾いた時にのみ、２つの通気孔が繋がってストロー口部内とカップ本体内とが連通するように構成されていることを特徴とする。
【０００８】
また、本発明に係る第２のタイプのプラスチック製カップ容器は、カップ本体とこれに螺合する蓋体と当該蓋体を貫通して取り付けられるストローとを有してなり、蓋体には中央の円筒部分を通してストローを取り付けるための取付け部が設けられているとともに、その取付け部の周縁部分に嵌合してストローの突き出た先端を密閉状態で覆うためのキャップがヒンジを介して取付け部の側部下端に一体的に取り付けられており、ストローは取付け部の円筒部分に一定ストロークで上下動可能に嵌入されたストロー口部と当該ストロー口部の下部に取り付けられてカップ本体の中に垂れるストロー主部とで構成され、ストロー口部にはストロークの下位置にてカップ本体内に連通するとともに上位置にて貫通孔の側面でカップ本体内との連通が断たれる通気孔が設けられており、キャップはストロー口部がストロークの下位置にある時にキャッピング可能で上位置にある時にキャッピングできない形状になっていることを特徴とする。
【００１０】
【発明の実施の形態】
図２は本発明に係る第１のタイプのプラスチック製カップ容器の一例を示すもので、その要部を拡大して示した断面図である。
【００１１】
このプラスチック製カップ容器は、図１に示したものと同様、カップ本体とこれに螺合する蓋体と当該蓋体を貫通して取り付けられるストローとを有しており、通常は図１に示した如き持ち手ハンドルをも備えた構成になっている。
【００１２】
図２において１０は蓋体であり、この蓋体１０の上方にはストロー２０を取り付けるための取付け部３０が設けられている。図示の例では、蓋体１０の開口周囲にリング状の突壁１１が設けられており、この突壁１１の外周に周縁部分３１が嵌合する状態で取付け部３０が固定されている。そして、取付け部３０の周縁部分３１にキャップ４０が嵌合するようになっている。このキャップ４０は、蓋体１０から突き出たストロー２０の先端を密閉状態で覆うもので、軟質のヒンジ４１を介して取付け部３０の周縁部分３１の側部下端に一体的に取り付けられている。
【００１３】
この密閉用のキャップ４０は中のストロー２０が見えるように透明又は半透明であることが望ましい。また、軟質樹脂のヒンジ４１を介してのキャップ４０の取付けは公知の二色成形法によればよい。
【００１４】
ストロー２０は、従来のような一本ものではなく、取付け部３０に固定されてカップ本体の中に垂れるストロー主部２１と、取付け部３０に回動可能な状態で嵌合されて斜め上方に突き出るストロー口部２２とで構成されている。図示の例では、ストロー主部２１は取付け部３０の中央にある段付き円筒部分３２の下部外側に差込み状態で固定されており、またストロー口部２２は段付き円筒部分３２の上部内側に嵌め込まれ、ストロー口部２２の外周面の突条と円筒部分３２の内周面の溝との係合により回動可能な状態になっている。
【００１５】
ここで、キャップ４０は、ストロー口部２２がヒンジ４１の方に傾いた時にはキャッピングできるが、その反対側に傾いた時はキャッピングできない形状になっている。また、ストロー口部２２の下端に通気孔２３が設けられ、取付け部３０の段付き円筒部分３２の上部にも通気孔３３が設けられており、ストロー口部２２がキャップ４０のヒンジ４１の方に傾いた時にのみ、２つの通気孔２３，３３が繋がってストロー内とカップ本体内とが連通するようになっている。
【００１６】
図２に示す密閉状態でカップ内に熱い飲み物が入っている場合、内圧が高まった状態になるが、この状態でキャップ４０を取付け部３０から外すと、ストロー口部２２の通気孔２３と取付け部３０の円筒部分３２の通気孔３３とが連通しているため、空気が逃げて内圧が下がる。したがって、熱いお湯を使って調乳をした時などにあって密閉状態で蓋体１０をセットしたとしても、飲む時にキャップ４０を外す操作を行うと同時に内圧を下げることができる。
【００１７】
キャップ４０を外した後、中身を飲むに際しては、図３に示すようにストロー口部２２をヒンジ４１と反対側に回転して飲みやすい状態にする。この操作により、ストロー口部２２の通気孔２３と取付け部の円筒部分３２の通気孔３３との連通が断たれ、ストロー２０の途中が閉じた状態になり、中身を吸飲できるようになる。また、飲み終わった後も、この状態のままではキャップ４０を被せることができないため、必ずストロー口部２２を回転して元の位置に戻すことになる。この操作により、ストロー２０の途中がカップ本体の内部と連通することとなり、次回の内圧開放に備えることになる。
【００１８】
図４は本発明に係る第２のタイプのプラスチック製カップ容器の一例を示すもので、その要部を拡大して示した断面図である。
【００１９】
このプラスチック製カップ容器は、図１に示したものと同様、カップ本体とこれに螺合する蓋体と当該蓋体を貫通して取り付けられるストローとを有しており、通常は図１に示した如き持ち手ハンドルをも備えた構成になっている。
【００２０】
図４において１０は蓋体であり、この蓋体１０の上方には中央の円筒部分を通してストロー５０を取り付けるための取付け部６０が設けられている。図示の例では、蓋体１０の開口周囲にリング状の突壁１１が設けられており、この突壁１１の外周に周縁部分６１が嵌合する状態で取付け部６０が固定されている。そして、取付け部６０の周縁部分６１にキャップ７０が嵌合するようになっている。このキャップ７０は、蓋体１０から突き出たストロー５０の先端を密閉状態で覆うもので、軟質のヒンジ７１を介して取付け部６０の周縁部分６１の側部下端に一体的に取り付けられている。
【００２１】
この密閉用のキャップ７０は中のストロー５０が見えるように透明又は半透明であることが望ましい。また、軟質樹脂のヒンジ７１を介してのキャップ７０の取付けは公知の二色成形法によればよい。
【００２２】
ストロー５０は、従来のような一本ものではなく、取付け部６０の円筒部分６２に一定ストロークで上下動可能に嵌入されたストロー口部５１と、そのストロー口部５１の下部に嵌入固定されてカップ本体の中に垂れるストロー主部５２とで構成されている。図示の例では、ストロー口部５１は上部に球状突部５１ａを有するとともに下部に段状突起５１ｂを有しており、球状突部５１ａが取付け部６０の上部に当接することで下方への動きが制限され、段状突起５１ｂが取付け部６０の下部に当接（図５参照）することで上方への動きが制限されるようになっている。
【００２３】
そして、ストロー口部５１におけるこれら球状突部５１ａと段状突起５１ｂの間には通気孔５１ｃが設けられており、ストロー口部５１がストロークの下位置にある時（図４参照）にカップ本体内に連通し、また上位置にある時（図５参照）に円筒部分６２の内側面でカップ本体内との連通が断たれるようになっている。
【００２４】
また、図示の例では、キャップ７０の形状が、ストロー口部５１がストロークの下位置にある時にキャッピング可能で上位置にある時にキャッピングできない形状としている。さらに、キャッピングした時には、キャップ７０の内側にある半球状突起７０ａがストロー口部５１の上部開口を閉じるようになっている。このため、キャップ７０を被せた状態では、中身がキャップ７０内に溢れるのが防止される。
【００２５】
図４に示す密閉状態でカップ内に熱い飲み物が入っている場合、内圧が高まった状態になるが、この状態でキャップ７０を取付け部６０から外すと、ストロー口部５１の通気孔５１ｃがカップ本体内と連通しているため、空気が逃げて内圧が下がる。したがって、熱いお湯を使って調乳をした時などにあって密閉状態で蓋体１０をセットしたとしても、飲む時にキャップ７０を外す操作を行うと同時に内圧を下げることができる。
【００２６】
キャップ７０を外した後、中身を飲むに際しては、図５に示すようにストロー口部５１を持ち上げて飲みやすい状態にする。この操作により、ストロー口部５１の通気孔５１ｃとカップ本体内との連通が断たれ、ストロー５０の途中が閉じた状態になり、中身を吸飲できるようになる。また、飲み終わった後は、この状態のままではキャップ７０を被せることができないため、必ずストロー口部５１を押し下げて元の位置に戻すことになる。この操作により、ストロー５０の途中がカップ本体の内部と連通するので、次回の内圧開放に備えることになる。
【００２７】
【発明の効果】
本発明は上記のように構成されているので、次に記載の効果を奏する。
【００２８】
請求項１に記載のプラスチック製カップ容器は、キャップを外すと同時に通気孔が開けられることから、ストローからの熱い飲み物の吹き出しを防止できて安全であることは勿論、操作が一回で済む上に確実である。そして、キャップを被せる時にはストロー口部を回して通気孔を閉じる操作が必要であるため、次回の内圧開放に備えることができる。また、従来のものに比べると、構造が簡単であるので、清掃が簡単である上に、製品コストを押さえることができる。
【００２９】
請求項２に記載のプラスチック製カップ容器は、キャップを外すと同時に通気孔が開けられることから、ストローからの熱い飲み物の吹き出しを防止できて安全であることは勿論、操作が一回で済む上に確実である。そして、キャップを被せる時にはストロー口部を押し下げて通気孔を閉じる操作が必要であるため、忘れることなく次回の内圧開放に備えることができる。また、従来のものに比べると、構造が簡単であるので、清掃が簡単である上に、製品コストを押さえることができる。
【図面の簡単な説明】
【図１】  従来のプラスチック製カップ容器を示す正面図である。
【図２】  本発明に係る第１のタイプのプラスチック製カップ容器の一例を示すもので、その要部を拡大して示した断面図である。
【図３】  図２のプラスチック製カップ容器をそのキャップを外した状態で示す断面図である。
【図４】  本発明に係る第２のタイプのプラスチック製カップ容器の一例を示すもので、その要部を拡大して示した断面図である。
【図５】  図４のプラスチック製カップ容器をそのキャップを外した状態で示す断面図である。
【符号の説明】
１０  蓋体
１１  突壁
２０  ストロー
２１  ストロー主部
２２  ストロー口部
２３  通気孔
３０  取付け部
３１  周縁部分
３２  円筒部分
３３  通気孔
４０  キャップ
４１  ヒンジ
５０  ストロー
５１  ストロー口部
５１ａ  球状突起
５１ｂ  段状突起
５１ｃ  通気孔
５２  ストロー主部
６０  取付け部
６１  周縁部分
６２  円筒部分
７０  キャップ
７１  ヒンジ
【図１】
0004396955.tif 000002
【図２】
0004396955.tif 000003
【図３】
0004396955.tif 000004
【図４】
0004396955.tif 000005
【図５】
0004396955.tif 000006